(57)【特許請求の範囲】
【請求項１】
主制御基板及び該主制御基板に接続される複数の副制御基板とを遊技領域の背面側に実装し、電源基板より前記主制御基板及び前記副制御基板に電源を供給する遊技機において、
前記電源基板に、電圧の相違する複数の電源回路の他、バックアップ電源作成回路と、電源電圧監視回路と、バックアップ解除信号出力回路とを備え、
前記バックアップ電源作成回路からバックアップ電源を前記主制御基板及び前記副制御基板の１つである払出制御基板に、プリント配線された電源中継基板を介して供給し、
前記電源電圧監視回路から停電信号を前記主制御基板及び前記払出制御基板に前記電源中継基板を介して出力し、
前記電源電圧監視回路からリセット信号を前記主制御基板及び前記副制御基板に前記電源中継基板を介して出力し、
前記バックアップ解除信号出力回路からバックアップ解除信号を前記主制御基板及び前記払出制御基板に前記電源中継基板を介して出力し、
前記主制御基板から賞球払出し指令データを前記払出制御基板に送信し、
前記払出制御基板は、前記賞球払出し指令データを受信すると該賞球払出し指令データが示す賞球個数を未払の賞球データに加算して記憶し、賞球払い出しが検出されると検出された個数を前記未払の賞球データから減算して記憶し、
停電が発生して前記停電信号が出力されたときには前記バックアップ電源の供給により、前記主制御基板は前記賞球払出し指令データを記憶保持し、前記払出制御基板は前記賞球データを記憶保持し、
前記主制御基板及び前記払出制御基板は前記バックアップ解除信号を入力したときには、前記賞球払出し指令データおよび前記賞球データを初期状態とする、
よう構成したことを特徴とする遊技機。
【発明の詳細な説明】
【０００１】
【発明の属する技術分野】
本発明は、遊技機、詳しくは、主制御基板と、該主制御基板と接続された複数の副制御基板とを備え、前記主制御基板及び副制御基板へ電源供給部から電源を供給する構成に特徴を備えた遊技機である。
【０００２】
【従来の技術】
従来、パチンコ機の背後に実装される各種基板の取付構造については、各種のものが提案されている。その一例として、機能部品の機能別による分別化と遊技盤の機種替の作業性との両立が図れるパチンコ機を提供することを目的として、特開２０００−１４０３５５号公報で開示されたパチンコ機がある。このパチンコ機は、図１６に示す通り、機枠７０１内部に装着された遊技盤７０２裏面には、主制御部７０３と図柄制御部７０４と音声制御部７０５と表示灯制御部７０６と盤用情報端子板７０７とが取り付けられる。図柄制御部７０４は遊技盤７０２に取り付けられた図柄表示器７１０の背部に装着され、図柄制御部７０４の周囲に音声制御部７０５と主制御部７０３と表示灯制御部７０６とが配置される。盤用情報端子板７０７が裏機構板７０８に形成された貫通孔７１１より突出する。裏機構板７０８には、賞球タンク７１２と枠用外部情報端子板７１３と音声中継基板７１４と表示灯中継基板７１５と賞球払出中継基板７１６と電源装置７１９と発射制御部７２０と賞球制御部７２１とインターフェース基板７２２とが取り付けられる。賞球タンク７１２の賞球通路７１７には賞球払出機構７１８が組み付けられる。そして、遊技の種類との関連が深い遊技制御部が主制御部７０３と図柄制御部７０４と音声制御部７０５と表示灯制御部７０６とに分別構成され、図柄制御部７０４が遊技盤７０２にセンター役物として取り付けられた図柄表示器７１０に取り付けられ、主制御部７０３と音声制御部７０５と表示灯制御部７０６が遊技盤７０２の裏面で図柄表示器７１０の周囲に取り付けられたので、パチンコ店での機種替の場合、新機種の遊技盤７０２と旧機種の遊技盤７０２とを機枠７０１に入れ替えることにより、それと同時に遊技の種類との関連が深い主制御部７０３と図柄制御部７０４と音声制御部７０５と表示灯制御部７０６とも入れ替えることができ、機種替の作業が容易である。又、主制御部７０３がコマンドを図柄制御部７０４と音声制御部７０５と表示灯制御部７０６と賞球制御部７２１とに一方向に出力し、図柄制御部７０４と音声制御部７０５と表示灯制御部７０６と賞球制御部７２１とが上記コマンドに対応する個別の制御処理を実行する電気的な構成である。よって、主制御部７０３からのコマンドに相当する電気的な信号を、図柄制御部７０４と音声制御部７０５と表示灯制御部７０６と賞球制御部７２１とに供給することにより、図柄制御部７０４と音声制御部７０５と表示灯制御部７０６と賞球制御部７２１とが所定のコマンドに対応する個別の制御処理を実行するか否かをチェックすれば良いので、検査が簡単でやり易くなる。
【０００３】
【発明が解決しようとする課題】
しかしながら、電源装置７１９の電源には全波ＡＣ２４Ｖ、ＤＣ３２Ｖ、ＤＣ１２Ｖ、ＤＣ５Ｖ等の多くの種類があり、これを図柄制御部７０４、賞球制御部７２１、表示灯制御部７０６、音声制御部７０５等の複数の副制御基板に供給する必要があり、これに応じて多種多様な電源配線が要求され、各種の電源配線が徒に複雑となり、遊技機の組立における配線、機種の交換による配線変更作業に多大な労力を要求されていた。さらに、電源配線に付随して停電時のデータバックアップのため、停電信号、バックアップ解除信号、リセット信号等の配線も要求されることがあり、電源配線作業が極めて煩雑である。
そこで、本発明は、各種の電源配線を簡素化し、配線作業、機種ごとの配線変更作業の労力を低減させることを目的とするものである。
【０００４】
【課題を解決するための手段及び効果】
上記課題に鑑み、請求項１記載の発明は、主制御基板及び該主制御基板に接続される複数の副制御基板とを遊技領域の背面側に実装し、電源基板より前記主制御基板及び前記副制御基板に電源を供給する遊技機において、前記電源基板に、電圧の相違する複数の電源回路の他、バックアップ電源作成回路と、電源電圧監視回路と、バックアップ解除信号出力回路とを備え、前記バックアップ電源作成回路からバックアップ電源を前記主制御基板及び前記副制御基板の１つである払出制御基板に、プリント配線された電源中継基板を介して供給し、前記電源電圧監視回路から停電信号を前記主制御基板及び前記払出制御基板に前記電源中継基板を介して出力し、前記電源電圧監視回路からリセット信号を前記主制御基板及び前記副制御基板に前記電源中継基板を介して出力し、前記バックアップ解除信号出力回路からバックアップ解除信号を前記主制御基板及び前記払出制御基板に前記電源中継基板を介して出力し、前記主制御基板から賞球払出し指令データを前記払出制御基板に送信し、前記払出制御基板は、前記賞球払出し指令データを受信すると該賞球払出し指令データが示す賞球個数を未払の賞球データに加算して記憶し、賞球払い出しが検出されると検出された個数を前記未払の賞球データから減算して記憶し、停電が発生して前記停電信号が出力されたときには前記バックアップ電源の供給により、前記主制御基板は前記賞球払出し指令データを記憶保持し、前記払出制御基板は前記賞球データを記憶保持し、前記主制御基板及び前記払出制御基板は前記バックアップ解除信号を入力したときには、前記賞球払出し指令データおよび前記賞球データを初期状態とする、よう構成したことを特徴とする遊技機である。これにより、バックアップ電源、停電信号、バックアップ解除信号、リセット信号を含む電源配線を、電源中継基板上にプリント配線とすることで、前記課題が好適に解決できる。
【０００５】
ここで、請求項１記載の発明に付加できる構成を備えた第１発明として、次の遊技機が挙げられる。すなわち、主制御基板及び該主制御基板に接続される複数の副制御基板とを遊技領域面の背面側に実装した遊技機において、前記主制御基板を封止するカバーと、前記背面側に備えられ、前記複数の副制御基板の全部又は一部を装着可能なラック構造体と、該ラック構造体に装着される複数の副制御基板を差込可能な複数のスロットを配置したスロット基板と、該スロット基板に、電源基板から供給される各種電源を前記装着された複数の副制御基板に供給するプリント配線部と、を備えたことを特徴とする遊技機である。これにより、電源配線をプリント配線とすることで、前記課題が好適に解決できる。前記スロット基板は電源供給源に接続され電源の供給を主とするものであり、電源供給源とは種々の態様で接続される。具体的態様として、例えば、(1)スロット基板が電源中継基板を兼用している場合、(2)スロット基板が電源中継基板を兼用しない場合、(3)後述する第２発明の場合、(4)後述する第３発明の場合、等が挙げられる。
【０００６】
ここでいう封止とは、不正行為の防止等、主制御基板の一部又は全部をカバーで覆い閉じることである。例えば、主制御基板の表面側をカバーで覆いビス等でかしめて固定する例が挙げられる。
【０００７】
第２発明として次の遊技機が挙げられる。すなわち、第１発明の遊技機において、前記電源基板を、前記ラック構造体に装着したことを特徴とする遊技機である。これにより、第１発明の課題を達成できるほか、電源基板をスロットに差し込むことで電源配線のプリント化を一層推進し、配線作業等を一層簡素化することができる。
【０００８】
第３発明として次の遊技機が挙げられる。すなわち、第１発明の遊技機において、前記電源基板を、前記ラック構造体に装着しないことを特徴とする遊技機である。これにより、第１発明の課題を達成できるほか、電源基板を前記ラック構造体に装着しないことでノイズの低減を図ることができる。
【０００９】
第４発明として次の遊技機が挙げられる。すなわち、第１乃至第３発明いずれかの遊技機において、前記主制御基板から送信される信号の共通信号の全部又は一部を前記スロット基板及び前記スロットを介して前記装着された複数の副制御基板の各々又は一部の副制御基板に送信するよう構成したことを特徴とする遊技機である。これにより、第１乃至第３発明の課題を達成できるほか、主制御基板から副制御基板への信号配線をも簡素化することができる。
【００１０】
第５発明として次の遊技機が挙げられる。すなわち、第４発明の遊技機おいて、共通信号がデータバス又はアドレスバスにより送信される信号であることを特徴とする遊技機である。これにより、第４発明の課題を達成できるほか、主制御基板から副制御基板への信号配線の主要部をなすデータバス又はアドレスバスの配線を簡素化することができる。
【００１１】
第６発明として次の遊技機が挙げられる。すなわち、第４発明の遊技機おいて、共通信号が、大当たり発生信号、大当たり中信号、図柄変動開始信号、図柄変動中信号又は高確率中信号の全部又は一部であることを特徴とする遊技機である。これにより、第４発明の課題を達成できるほか、主制御基板から副制御基板の図柄制御基板等への信号を共通化することができ、信号配線を簡素化することができる。
【００１２】
第７発明として次の遊技機が挙げられる。すなわち、第１乃至第６発明いずれかの遊技機において、前記主制御基板から送信される信号の固有信号の全部又は一部を、前記スロット基板及び前記スロットを介せずに前記装着された複数の副制御基板の各々にコネクタを介して送信するよう構成したことを特徴とする遊技機である。これにより、第１乃至第６発明の課題を達成できるほか、固有信号について信号を非共通とすることで、信号配線の機種依存性、型式依存性を解消し、機種変更による信号配線作業を簡素化することができる。
【００１３】
第８発明として次の遊技機が挙げられる。すなわち、第４乃至第７発明いずれかの遊技機において、前記スロット基板及び前記スロットを介して前記副制御基板に送信される信号が、遊技機の種類に共通の信号であることを特徴とする遊技機である。これにより、第４乃至第７発明の課題を達成できるほか、遊技機の種類にかかわらず本発明は適用できる。ここでいう遊技機の種類に共通の信号とは、１つは、いわゆる第１種パチンコ機、第２種パチンコ機、第３種パチンコ機、アレンジボール遊技機等、広義の分類に属するものに共通な信号である。他は、前記の同じ広義の分類に属していても、型式又は機種等によって分けられる狭義の分類に属するものに共通な信号である。例えば、通常、ランプの信号配線は、第１種に属していても、型式によって配線が異なることがある。本発明には広狭いずれの分類も含まれる。
【００１４】
第９発明として次の遊技機が挙げられる。すなわち、第１乃至第８発明いずれかの遊技機において、前記装着される副制御基板が、ランプ制御基板及び音制御基板を含むことを特徴とする遊技機である。これにより、第１乃至第８発明の課題を達成できるほか、ランプ制御基板、音制御基板の配線を簡素化することができる。
【００１５】
第１０発明として次の遊技機が挙げられる。すなわち、第１乃至第９発明いずれかの遊技機において、前記装着される副制御基板には、少なくとも賞球の払い出しを実行する払い出し制御基板を含まないことを特徴とする遊技機である。これにより、第１乃至第９発明の課題を達成できるほか、払い出し制御基板を含まないことで、セキュリティー面を一層向上させることができる。例えば、払い出し制御基板をカバーで封止することで、不正行為を防止することができる。
【００１６】
【発明の実施形態の形態】
次に、本発明の実施の形態について図１ないし図９を参照して説明する。本実施形態では、遊技機としてはいわゆるセブン機と呼ばれるパチンコ遊技機を挙げて説明するが、その他、いわゆる羽根物、権利物、一般電役等と呼ばれる機種、アレンジボール遊技機、時短機能、確率変動機能をもった機種、コイン式遊技機、スロットマシン等であってもよく、遊技媒体を用いて遊技が行える遊技機であれば対象となる。
【００１７】
第１実施形態の遊技機の一例を示すパチンコ機１０の特徴的な構成は、主制御基板３０を封止するカバー３０ａ（図２参照）と、背面側に備えられ、払出制御基板３１、図柄制御基板３２ｂ、発射制御基板３３、ランプ制御基板３４及び音制御基板３５（以下、これら主制御基板３０と接続されコマンドを受信し各制御を実行するものを副制御基板Ｓともいう。）の全部を装着可能なラック構造体１（図７及び図８参照）と、ラック構造体１に装着される副制御基板Ｓを差込可能な複数のスロットＳＬ１〜ＳＬ６を配置したプリント基板であるスロット基板３（図７及び図８参照）と、スロット基板３に配線され電源基板５５から供給される各種電源を副制御基板Ｓに供給する電源用プリント配線部Ｐ（図５及び図６参照）と、を備えたことである。スロットＳＬ１に発射制御基板３３、スロットＳＬ２にランプ制御基板３４、スロットＳＬ３に音制御基板３５、スロットＳＬ４に図柄制御基板３２ｂ、スロットＳＬ５に払出制御基板３１が各々差し込まれ、スロットＳＬ６は予備である。第１実施形態では、電源基板５５はラック構造体１に装着せず、また、スロット基板３にも挿入せず、スロット基板３に対してコネクタとケーブルから電源を供給するものである。本実施形態では、電源中継基板５８はスロット基板３を兼ねることで配線が簡素化される。配線構造の詳細については後述する。
【００１８】
次にパチンコ機１０裏面に設けた角形のラック構造体１の例を図７及び図８を参照して説明する。このラック構造体１は、複数のスロットＳＬ１〜ＳＬ６を並設したスロット基板３の上部に配置されたものである。副制御基板Ｓの下端部からエッジコネクタ４（図６の各副制御基板Ｓの各コネクタＣＮ１を指す。）が突出し、各副制御基板Ｓの側端にフィラーブラケット５が形成されている。ラック構造体１は、その背面に脱着可能な点検扉（図示略）を備えた金属製のケース６と、前記各スロットＳＬ１〜ＳＬ６に対応する位置に配置され前述の各フィラーブラケット５を案内するガイドチャネル７と、フィラーブラケット５をケース６の上端面のネジ孔８ａに止着するビス８ｂと、を備えたものである。各副制御基板Ｓは各スロットＳＬ１〜ＳＬ６に背面から立設状態（紙面に垂直）で挿脱可能になっている。さらに各副制御基板Ｓ（ここでは図８にランプ制御基板３４のみ例示）に、主制御基板３０のコマンド信号出力用コネクタとケーブルで接続するコネクタＣＮＣ−１と、副制御基板Ｓからの出力信号を送信するコネクタＣＮＣ−２、例えば、図４の通り、ランプ制御基板３４なら普通図柄表示装置３７、音制御基板３５ならスピーカ４９のコネクタとケーブルで接続するものとが設けられている。
【００１９】
次に、図１に示すように、本実施形態のパチンコ機１０は、大きくは長方形の外枠１１と前面枠１２とからなり、外枠１１の左隣に公知のカードリーダ（プリペイドカードユニット）１３が設けられている。前面枠１２は、左端上下のヒンジ１４により外枠１１に対し回動可能に取り付けられている。
【００２０】
前面枠１２の下方には上皿１５が設けられ、この上皿１５に貸出釦１６、精算釦１７及び残高表示部１８が設けられている。カードリーダ１３のカード挿入口１９にカードを挿入すると、記憶された残高が残高表示部１８に表示され、貸出釦１６を押下するとパチンコ玉の貸出しが実行され上皿１５の払い出し口よりパチンコ玉が排出される。そして、遊技の結果、打玉が入賞することにより景品玉としてのパチンコ玉が上皿１５に払出され、遊技者が遊技を終了する場合には、上皿玉抜レバー１５ａをスライド操作することにより、上皿１５に貯留されているパチンコ玉が下皿２３に抜き取られて払出される。そして、下皿２３の下に玉箱等を設置した状態で遊技者が下皿玉抜レバー２３ａをスライド操作すれば、下皿２３に貯留されているパチンコ玉が玉箱等に抜き取られる。
【００２１】
前面枠１２には、窓状の金枠２０が前面枠１２に対して解放可能に取り付けられている。この金枠２０には板ガラス２１が二重にはめ込まれている。板ガラス２１の奥には遊技盤２２（図３参照）が収納されている。
上皿１５の前面枠１２下部には、下皿２３が設けられ、下皿２３の右側には発射ハンドル２４が取り付けられている。この発射ハンドル２４の外周には、図示しない回動リングが擁され、時計方向に回動すればパチンコ玉を遊技盤２２上に発射することができる。
上皿１５と下皿２３とは連結されていて、上皿１５がパチンコ玉で満杯状態になれば下皿２３にパチンコ玉を誘導するよう構成されている。
【００２２】
図２はカードリーダ１３とパチンコ機１０を裏側から見た裏面図である。図示するように、前述した遊技盤２２を脱着可能に取り付ける機構盤２６が前述した外枠１１に収納されている。この機構盤２６には、上方から、球タンク２７、誘導樋２８及び払出し装置２９が設けられている。この構成により、遊技盤２２上の入賞口にパチンコ玉の入賞があれば球タンク２７から誘導樋２８を介して所定個数のパチンコ玉を払出し装置２９により前述した上皿１５に排出することができる。
また、機構盤２６には主制御基板３０が脱着自在に取り付けられ、ラック構造体１には、賞球及び貸球制御基板としての払出制御基板３１、図柄制御基板３２ｂ、発射制御基板３３、ランプ制御基板３４、音制御基板３５が、各々脱着自在に取り付けられている。
カードリーダ１３には、プラグ９が接続されており、このプラグ９を電源に差し込むことによりカードリーダ１３に電力が供給される状態となる。
【００２３】
次に図３を用いて遊技盤２２について説明する。
図３に示すように遊技盤２２の遊技領域２２ａの中央に特別図柄表示装置３２を構成するＬＣＤパネルユニット（以下、「ＬＣＤ」という。）３２ａ、その下部に第１種始動口としての普通電動役物３６、ＬＣＤ３２ａ上部の普通図柄表示装置３７、普通図柄表示装置３７に表示される図柄の変動開始に用いられるＬＣＤ３２ａの左右の普通図柄作動ゲート３８及び３９、普通電動役物３６下部の大入賞口４０、盤面最下部のアウト口４１、その他の各種入賞口、風車及び図示しない遊技釘等が備えられている。
この構成により、前述した発射ハンドル２４を回動すれば発射制御基板３３により駆動される発射モータ３３ａ（図４参照）が駆動されて上皿１５上のパチンコ玉がガイドレールを介して遊技盤２２上に発射される。発射されたパチンコ玉が各入賞口に入賞すればパチンコ玉は盤面裏面にセーフ球として取り込まれ、入賞しなければアウト口４１を介してアウト球として同様に盤面裏面に取り込まれる。
【００２４】
続いて前述したパチンコ機１０の電気的構成を図４のブロック図を用いて説明する。
パチンコ機１０の電気回路は、図示するように、前述した主制御基板３０、払出制御基板３１、図柄制御基板３２ｂ、発射制御基板３３、ランプ制御基板３４及び音制御基板３５等から構成されている。
【００２５】
次に、上述の各基板の詳細を説明すると、主制御基板３０は、遊技制御プログラムを記憶したＲＯＭ及び演算等の作業領域として働くＲＡＭを内蔵した８ビットワンチップマイコンを中心とした論理演算回路として構成され、この他各基板又は各種スイッチ類及び各種アクチュエータ類との入出力を行うための外部入出力回路も設けられている。主制御基板３０はカバー３０ａで覆われ、このカバー３０ａは主制御基板３０にビス３０ｂでかしめられて固定されている。
主制御基板３０の入力側には、第１種始動口スイッチ３６ａ、普通図柄作動スイッチ３８ａ及び３９ａ、役物連続作動スイッチ（以下、単に「Ｖスイッチ」と呼ぶ）４０ａ、カウントスイッチ４０ｂ、満タンスイッチ４３、補給スイッチ４４、複数のその他入賞口スイッチ４５、玉抜スイッチ４６等が接続されている。また、出力側には、大入賞口ソレノイド４０ｃ、Ｖソレノイド４０ｄ、普通役物ソレノイド３６ｂ及び外部接続端子基板５０等が接続されている。カウントスイッチ４０ｂは１０個の入賞個数を検出するように設定してあるが、その異常状態の検出機能を削除してある。大入賞口４０のカウントスイッチ４０ｂを含め、入賞口全てに入賞検出スイッチを設ける構造とし、個々の入賞口へのパチンコ玉の入賞を検出することで賞球払い出しまでを一括して制御する方式を採用している。この方式においては、カウントスイッチ４０ｂの配線の断線、短絡、カウントスイッチ４０ｂの移動が発生した場合でも不正に賞球が払出されることがないためである。
【００２６】
第１種始動口スイッチ３６ａは前述した遊技盤２２上の普通電動役物３６内、普通図柄作動スイッチ３８ａ及び３９ａは各々普通図柄作動ゲート３８及び３９内、Ｖスイッチ４０ａは大入賞口４０内の特定領域内、同じくカウントスイッチ４０ｂは大入賞口４０内、満タンスイッチ４３は下皿２３内、補給スイッチ４４は球タンク２７内、その他入賞口スイッチ４５は普通電動役物３６及び大入賞口４０以外の盤面上の各々の入賞口、玉抜スイッチ４６は払出し装置２９の近傍に各々取り付けられている。ここで、Ｖスイッチ４０ａは大入賞口４０内に入賞したパチンコ玉が特別装置作動領域（以下、「特別領域」という。）を通過したことを、カウントスイッチ４０ｂは大入賞口４０内に入賞する全てのパチンコ玉を、満タンスイッチ４３は下皿２３内にパチンコ玉が満タン状態になったことを、補給スイッチ４４は球タンク２７内にパチンコ玉が存在することを、その他入賞口スイッチ４５は普通電動役物３６及び大入賞口４０以外の盤面上の各々の入賞口にパチンコ玉が入賞したことを、玉抜スイッチ４６は玉抜操作ボタンが押下されたことを、各々検出するためのものである。
また、出力側に接続された大入賞口ソレノイド４０ｃは大入賞口４０、Ｖソレノイド４０ｄは大入賞口４０内の特別領域、普通役物ソレノイド３６ｂは普通電動役物３６の開閉に各々使用されるものである。
【００２７】
特別図柄表示装置３２は、前述したＬＣＤ３２ａと、このＬＣＤ３２ａを駆動制御する図柄表示装置制御基板（以下、単に「図柄制御基板」（「画像制御基板」ともいう。）という。）３２ｂ及びバックライト及びインバータ基板等の付属ユニットから構成されている。図柄制御基板３２ｂは、前述した主制御基板３０と同様８ビットワンチップマイコンを中心とした論理演算回路として構成されている。
【００２８】
払出制御基板３１は、主制御基板３０と同様マイクロコンピュータを用いた論理演算回路として構成され、その入力回路には賞球払出スイッチ３１ａ、貸玉払出スイッチ３１ｂが接続され、出力回路には玉切モータ３１ｃ、玉貸モータ３１ｄが接続されている。また、払出制御基板３１には、前述したカードリーダ１３が双方向通信可能に接続され、カードリーダ１３にはカードリーダ精算表示基板４７が双方向通信可能に接続され、このカードリーダ精算表示基板４７は、上皿１５の貸出釦１６、精算釦１７及び残高表示部１８等と接続されている。尚、カードリーダ精算表示基板４７を払出制御基板３１に接続する構成としても良い。賞球払出スイッチ３１ａは、主制御基板３０にも接続されている。
【００２９】
玉切モータ３１ｃ及び玉貸モータ３１ｄは、前述した払出し装置２９に設けられ、誘導樋２８から供給されるパチンコ玉を下方に所定個数流下させるものである。玉切モータ３１ｃから払い出されるパチンコ玉は賞球払出スイッチ３１ａにより検出され、玉貸モータ３１ｄから払い出されるパチンコ玉は貸玉払出スイッチ３１ｂにより検出される。
【００３０】
前記構成により主制御基板３０から賞球払い出し指令のデータが送信されると、このデータを受信した払出制御基板３１は、未払の賞球データに送信されたデータが示す賞球個数を加算して新たな賞球データとして記憶し、所定個数のパチンコ玉を賞球として払い出した後に賞球払出スイッチ３１ａにより検出されたパチンコ玉を記憶した賞球データから減算処理を実行して新たな賞球データとし、この賞球データの値がゼロになるまで払い出し処理を実行する。
【００３１】
一方、カードリーダ精算表示基板４７の貸出釦１６を押し下げすると、１回の押し下げに応答して、カードリーダ１３から払出制御基板３１に５パルスの信号が送信される。払出制御基板３１は、１パルスの信号に対して２５個のパチンコ玉が貸玉払出スイッチ３１ｂにより検出されるまで玉貸モータ３１ｄを駆動制御して貸し玉を払い出す処理を実行する。
【００３２】
発射制御基板３３は、遊技者が操作する発射ハンドル２４の回動量に応じて発射モータ３３ａを駆動制御するものであり、その他遊技者が発射停止スイッチ２４ｂを押下したとき発射を停止させたり、発射ハンドル２４に内蔵されたタッチスイッチ２４ａがオン状態のときタッチランプ４８を点灯させるためのものである。
タッチスイッチ２４ａは発射ハンドル２４に内蔵され遊技者が発射ハンドル２４に触れていることを検出する。
【００３３】
ランプ制御基板３４は主としてトランジスタ等の駆動素子から構成されており、主制御基板３０からの指令を受けて普通図柄表示装置３７、大当りランプやエラーランプ等の各種ランプ類及び各種ＬＥＤを点灯表示させるためのものである。
【００３４】
音制御基板３５は音源ＩＣ及びアンプ等から構成されており、主制御基板３０の指令を受けてスピーカ４９を駆動制御するためのものである。
【００３５】
従来の遊技機は主制御基板３０でランプ及び音声を制御していたが、主制御基板３０のプログラムの負担を軽くするため、ランプ制御基板３４及び音制御基板３５を主制御基板３０の外部に出し、図柄制御基板３２ｂと同様にコマンドで制御する。電源基板５５は電源中継基板５８を介して各部に電源を供給するものである。
【００３６】
前述した特別図柄表示装置３２、払出制御基板３１、発射制御基板３３、ランプ制御基板３４及び音制御基板３５への送信は、主制御基板３０からのみ送信することができるよう一方向通信の回路として構成されている。この一方向通信の回路は、インバータ回路又はラッチ回路を用いて具現化することができる。
【００３７】
次に、パチンコ機１０の電源構成を図５及び図６を参照して説明する。電源基板５５は、ＡＣ２４Ｖ回路５５ａ、ＡＣ２４Ｖ回路５５ａと接続された電源スイッチ５５ｂ、整流回路５５ｃ，５５ｄ、平滑回路５５ｅ，５５ｆ、平滑回路５５ｆと接続する電源モジュール５５ｇ〜５５ｉ、電源モジュール５５ｉと接続されたバックアップ電源作成回路５５ｊ、平滑回路５５ｆと接続された電源電圧監視回路５５ｋを備えている。また、電源基板５５は、バックアップ解除スイッチ５５ｍ、バックアップ解除信号出力回路５５ｎとを備えている。整流回路５５ｃから全波２４Ｖ、平滑回路５５ｅからＤＣ３２Ｖ、整流回路５５ｃ及び５５ｄからＧＮＤ信号、電源モジュール５５ｇからＤＣ１２Ｖ１、電源モジュール５５ｈからＤＣ１２Ｖ２、電源モジュール５５ｉからＤＣ５Ｖ、バックアップ電源作成回路５５ｊからＶＢＢ（５Ｖ）、電源電圧監視回路５５ｋから停電信号及びリセット信号、バックアップ解除信号出力回路５５ｎからバックアップ解除信号が各々作成され、それらの信号がコネクタＣＮ２及びＣＮ３から各々出力される。電源基板５５のコネクタＣＮ１は電源保護基板のコネクタ（図示略）と接続されている。電源基板５５のコネクタＣＮ２と電源中継基板５８（スロット基板３）のコネクタＣＮ１とは、全波２４Ｖ線、ＤＣ３２Ｖ線、ＤＣ１２Ｖ１線、ＤＣ１２Ｖ２線、ＤＣ５Ｖ線、ＶＢＢ（５Ｖ）線、２本のＧＮＤ線を備えたケーブル５５ｏで接続されている。電源基板５５のコネクタＣＮ３と電源中継基板５８（スロット基板３）のコネクタＣＮ２は、ＧＮＤ線、停電信号線、リセット信号線、バックアップ解除信号線、ＧＮＤ線を備えたケーブル５５ｐで接続されている。電源基板５５はノイズ対策のためここでは外付けで接続されるのである。
【００３８】
電源中継基板５８のコネクタＣＮ３と、主制御基板３０のコネクタＣＮ１とは、ＤＣ３２Ｖ線、ＤＣ１２Ｖ２線、ＤＣ５Ｖ線、ＶＢＢ（５Ｖ）線、ＧＮＤ線、停電信号線、リセット信号線、バックアップ解除信号線、ＧＮＤ線を備えてケーブル３０ｋで接続されている。主制御基板３０内でＤＣ３２Ｖ、ＤＣ１２Ｖ２、ＤＣ５Ｖは、各回路に供給され、ＶＢＢ（５Ｖ）、停電信号はＣＰＵ３０ｃに供給され、リセット信号はリセット信号遅延回路３０ｄを介してＣＰＵ３０ｃに供給され、バックアップ解除信号は入力ポート３０ｅを介してＣＰＵ３０ｃに供給される。
【００３９】
電源中継基板５８のスロットＳＬ５と、払出制御基板３１のコネクタＣＮ１は、ＤＣ３２Ｖ端子、ＤＣ１２Ｖ２端子、ＤＣ５Ｖ端子、ＶＢＢ（５Ｖ）端子、ＧＮＤ端子、停電信号端子、リセット信号端子、バックアップ解除信号端子、ＧＮＤ端子を各々備え、挿脱可能となっている。払出制御基板３１内でＤＣ３２Ｖ、ＤＣ１２Ｖ２、ＤＣ５Ｖは、各回路に供給され、ＶＢＢ（５Ｖ）、停電信号はＣＰＵ３１ｅに供給され、リセット信号はリセット信号遅延回路３１ｆを介してＣＰＵ３１ｅに供給され、バックアップ解除信号は入力ポート３１ｇを介してＣＰＵ３１ｅに供給される。
【００４０】
電源中継基板５８のスロットＳＬ４と、図柄制御基板３２ｂのコネクタＣＮ１は、ＤＣ１２Ｖ１端子、ＤＣ５Ｖ端子、ＧＮＤ端子、リセット信号端子、ＧＮＤ端子を各々備え、挿脱可能となっている。図柄制御基板３２ｂ内でＤＣ１２Ｖ１、ＤＣ５Ｖは、各回路に供給され、リセット信号はＣＰＵ３２ｃのリセット端子に供給される。
【００４１】
電源中継基板５８のスロットＳＬ３と、音制御基板３５のコネクタＣＮ１は、ＤＣ１２Ｖ１端子、ＤＣ５Ｖ端子、ＧＮＤ端子、リセット信号端子、ＧＮＤ端子を各々備え、挿脱可能となっている。音制御基板３５内でＤＣ１２Ｖ１、ＤＣ５Ｖは、各回路に供給され、リセット信号はＣＰＵ３５ａのリセット端子に供給される。
【００４２】
電源中継基板５８のスロットＳＬ２と、ランプ制御基板３４のコネクタＣＮ１は、全波２４Ｖ端子、ＤＣ１２Ｖ１端子、ＤＣ５Ｖ端子、ＧＮＤ端子、リセット信号端子、ＧＮＤ端子を各々備え、挿脱可能となっている。ランプ制御基板３４内で全波２４Ｖ、ＤＣ１２Ｖ１、ＤＣ５Ｖは、各回路に供給され、リセット信号はＣＰＵ３４ａのリセット端子に供給される。
【００４３】
電源中継基板５８のスロットＳＬ１と、発射制御基板３３のコネクタＣＮ１は、ＤＣ３２Ｖ端子、ＤＣ１２Ｖ１端子、ＤＣ５Ｖ端子、ＧＮＤ端子を各々備え、挿脱可能となっている。発射制御基板３３内でＤＣ３２Ｖ、ＤＣ１２Ｖ１、ＤＣ５Ｖは、各回路に供給される。
【００４４】
電源中継基板５８の電源用プリント配線部Ｐは、前述の電源中継基板５８のコネクタＣＮ１〜ＣＮ３、スロットＳＬ１〜ＳＬ６とを接続し、前述した各々の電源や停電信号等を供給できるように構成されているものであり、当業者であれば実施可能であるので、電源中継基板５８のプリント配線の詳細は略す。
【００４５】
以上説明した第１実施形態のパチンコ機１０によれば、電源中継基板５８と副制御基板Ｓの間の電源配線を、電源中継基板５８の電源用プリント配線部Ｐとしたので、ケーブル配線を不要にでき、電源配線を簡素化し、電源配線作業の労力を低減することができる。また、電源基板５５は電源中継基板５８とケーブルで配線されて外付けされているので、ノイズを低減できる効果がある。
【００４６】
次に第２実施形態のパチンコ機２１０について図９及び図１０を参照して説明する。第１実施形態では電源基板５５をスロット基板３とは別体としたが、この第２実施形態は、これを変更し、第１実施形態では予備のスロットであったスロットＳＬ６を利用し、このスロットＳＬ６に電源基板２５５を挿入し、且つ、電源基板２５５をラック構造体２０１に装着するとともに、第１実施形態の電源中継基板５８のケーブル５５ｏ、５５ｐを止め、これをプリント配線化し、電源中継基板２５８のプリント配線部Ｐに加えたものである。電源基板２５５へは島電源２９９から全波２４ＶのＡＣ電源が供給される（図１０中の２点鎖線は電源基板２５５中でプリント配線化されたものを示す）。これにより第１実施形態の効果を奏する他、電源基板２５５と電源中継基板２５８との間の電源配線がプリント配線化によって一層簡素化できる。パチンコ機２１０のその他の構成は第１実施形態のパチンコ機１と同様であり図示及び説明は援用し、図９及び図１０中の部品番号は第１実施形態の部品番号を２００番台とし説明を援用する。
【００４７】
次に第３実施形態のパチンコ機３１０について図１１を参照して説明する。前述した第２実施形態では図柄制御基板２３２ｂをスロット基板２０３に差し込んだが、この第３実施形態では、これを変更し、図柄制御基板３３２ｂをスロット基板３０３とは別体とし、ビス等でカバー３３２ｃをかしめて図柄制御基板３３２ｂに固定し、これをパチンコ機３１０の裏面に固定し、主制御基板３３０と同様の封止構造としたものであり、且つ、プリント配線を止めて、ケーブル３３２ｋ，３３２ｊによって各々主制御基板３３０、電源中継基板３５８と接続したものである。ケーブル３３２ｋを介して主制御基板３３０からコマンド信号が送信され、ケーブル３３２ｊを介して電源中継基板３５８から電源が供給される。従って、スロットＳＬ４は予備となる。以上説明した第３実施形態によれば、第１及び第２実施形態の効果を奏する他、図柄制御基板３３２ｂへの不正行為等が防止できる。パチンコ機３１０のその他の構成は第１実施形態のパチンコ機１と同様であり図示及び説明は援用し、図１１中の部品番号は第２実施形態の部品番号を３００番台とし説明を援用する。
【００４８】
次に第４実施形態のパチンコ機４１０について図１２を参照して説明する。第１ないし３実施形態では払出制御基板３１，２３１，３３１をスロット基板３，２０３，３０３に各々差し込んだが、この第４実施形態では、これを変更し、払出制御基板４３１をスロット基板４０３とは別体とし、ビス等でカバー４３１ｃをかしめて固定し、これをパチンコ機３１０の裏面に固定し、主制御基板３３０及び図柄制御基板４３２ｂと同様の封止構造としたものであり、且つ、プリント配線をケーブル４３１ｋ，４３１ｊによって各々主制御基板４３０、電源中継基板４５８と接続したものである。ケーブル４３１ｋを介して主制御基板４３０からコマンド信号が送信され、ケーブル４３１ｊを介して電源中継基板４５８から電源が供給される。従って、スロットＳＬ４及びＳＬ５は予備となる。以上の第４実施形態によれば、第３実施形態の効果を奏する他、払出制御基板４３３への不正行為等が防止できる。パチンコ機４１０のその他の構成は第３実施形態のパチンコ機３１０と同様であり図示及び説明は援用し、図１２中の部品番号は第３実施形態の部品番号を４００番台とし説明を援用する。
【００４９】
次に第５実施形態のパチンコ機５１０について図１３を参照して説明する。前述の第１乃至第４実施形態では、主制御基板３０と副制御基板Ｓの全部又は一部とを接続する電源用配線をプリント配線化しプリント配線部Ｐとしたが、本実施形態では、プリント配線化を一歩押し進め、主制御基板５３０と副制御基板Ｓとの間のデータバスも併せてプリント配線化したものである。データバスを伝送される信号は共通信号とし、スロット基板５０３及びスロットＳＬ１〜ＳＬ６を介して前記装着された複数の副制御基板Ｓの各々又は一部にデータ用プリント配線部Ｄを介して送信するよう構成している。詳しい図示は略すが、主制御基板５３０とランプ制御基板５３４との間の８本のランプデータ線及び１本のランプストローブ信号線、主制御基板５３０と音制御基板５３５との間の８本の音声データ線及び１本の音ストローブ信号線を、主制御基板５３０と図柄制御基板５３２ｂとの間の８本の画像（液晶）データ線及び１本の画像（液晶）ストローブ信号線を、主制御基板５３０と発射制御基板５３３との間の発射信号線及び発射停止信号線を、各々、データ用プリント配線部Ｄにより合理化したものである。これに対応してカードエッジコネクタ５０４は、電源用コネクタ５０４ａとデータ用コネクタ５０４ｂとを備えている（図１３ではランプ制御基板５３４のみ例示）。また、共通信号の例として、主制御基板５３０から図柄制御基板５３２ｂへ送信される大当たり発生信号、大当たり中信号、図柄変動開始信号、図柄変動中信号又は高確率中信号が挙げられる。さらに、副制御基板Ｓに駆動信号出力用のコネクタＣＮＯと予備コネクタＣＮＹが設けてある。このコネクタＣＮＯは、例えば、ランプ制御基板５３４ならランプ、ＬＥＤ等の表示装置のコネクタとケーブルで接続され、駆動信号が伝送されるものである。パチンコ機５１０のその他の構成は第１実施形態のパチンコ機１０と同様であり図示及び説明は援用し、図１３中の部品番号は第１実施形態の部品番号を５００番台とし説明を援用する。
【００５０】
次に第６実施形態のパチンコ機６１０について図１４及び図１５を参照して説明する。前述第５実施形態では、主制御基板５３０と副制御基板Ｓとの間の全てのデータバスをプリント配線化したが、本実施形態では、図１４の通り、第１種、第２種等の遊技機の機種又は同一機種内の型式にかかわらず共通の共通信号を伝送するデータバスのみをプリント配線部Ｄ1〜Ｄ5とし、機種又は型式に共通しない固有信号を伝送するデータバスをケーブル配線Ｃ1，Ｃ2としたものである。主制御基板６３０から送信される信号の固有信号の全部又は一部を、スロット基板６０３及びスロットＳＬ１〜ＳＬ６を介せずに前記装着された複数の副制御基板Ｓの一部であるランプ制御基板６３４及び音制御基板６３５の各々に送信するため、図１４の通りランプ制御基板６３４及び音制御基板６３５の配線について、パチンコ機の機種により異なるケーブル配線Ｃ1，Ｃ2をコネクタＣＮＩで接続できるよう構成してある。ランプ制御基板６３４及び音制御基板６３５はパチンコ機の機種により信号線の数が異なることがあるからである。コネクタＣＮＯから駆動信号が出力されることは前述の通りである。この第６実施形態により、配線作業や機種による配線変更作業を一層簡素化、容易化できる。パチンコ機６１０のその他の構成は第５実施形態のパチンコ機５１０と同様であり図示及び説明は援用し、図１４及び図１５中の部品番号は第５実施形態の部品番号を６００番台とし説明を援用する。
【００５１】
以上、本実施形態を説明したが、本発明の技術的思想を逸脱しない範囲において、本発明の構成を適宜改変、追加等できることは当然である。例えば、本実施形態では、スロット基板３そのものを電源中継基板５８とし電源中継基板５８とスロット基板３の機能を兼用したが、スロット基板３と電源中継基板５８とを別体としても良い。
【図面の簡単な説明】
【図１】本発明の第１実施形態のパチンコ機１０を示す外観斜視図である。
【図２】パチンコ機１０の裏面図である。
【図３】パチンコ機１０の遊技盤２２の構成を示す正面図である。
【図４】パチンコ機１０の電気的構成を示すブロック図である。
【図５】同パチンコ機１０の電源構成を示す概念図である。
【図６】パチンコ機１０の電源構成を示すブロック図である。
【図７】パチンコ機１０のラック構造体１を示す斜視図である。
【図８】パチンコ機１０のラック構造体１を示す他の角度から見た斜視図である。
【図９】本発明の第２実施形態のパチンコ機２１０を示す裏面図である。
【図１０】同パチンコ機２１０の電源構成を示す概念図である。
【図１１】本発明の第３実施形態のパチンコ機３１０を示す裏面図である。
【図１２】本発明の第４実施形態のパチンコ機４１０を示す裏面図である。
【図１３】本発明の第５実施形態のラック構造体５０１を示す斜視図である。
【図１４】本発明の第６実施形態のデータ用プリント配線部及びケーブル配線を示す説明図である。
【図１５】本発明の第６実施形態のラック構造体６０１を示す斜視図である。
【図１６】従来のパチンコ機の裏面図である。
【符号の説明】
１…ラック構造体  ＳＬ１〜ＳＬ６…スロット  ３…スロット基板
４…エッジコネクタ  ５…フィラーブラケット  ６…ケース
７…ガイドチャネル  ８ａ…ネジ孔  ８ｂ…ビス
１０…パチンコ機  ２２…遊技盤  ２４…発射ハンドル
２４ａ…タッチスイッチ  ２４ｂ…発射停止スイッチ
３０…主制御基板  ３１…払出制御基板
３２…特別図柄表示装置    ３２ａ…ＬＣＤパネルユニット（ＬＣＤ）
３２ｂ…図柄表示装置制御基板（図柄制御基板）
３３…発射制御基板  ３４…ランプ制御基板  ３５…音制御基板
５５…電源基板  ５８…電源中継基板
【図１】
0003707358.tif 000002
【図２】
0003707358.tif 000003
【図３】
0003707358.tif 000004
【図４】
0003707358.tif 000005
【図５】
0003707358.tif 000006
【図６】
0003707358.tif 000007
【図７】
0003707358.tif 000008
【図８】
0003707358.tif 000009
【図９】
0003707358.tif 000010
【図１０】
0003707358.tif 000011
【図１１】
0003707358.tif 000012
【図１２】
0003707358.tif 000013
【図１３】
0003707358.tif 000014
【図１４】
0003707358.tif 000015
【図１５】
0003707358.tif 000016
【図１６】
0003707358.tif 000017